(57)【要約】【課題】接続不良や短絡などの接続不具合をより回避する情報表示システム、情報表示器及び駆動装置を提供する。【解決手段】情報表示システムは、情報表示器と駆動装置とを備える。情報表示器は、複数の表示器側電極部を有し、駆動装置は、表示器側電極部に接続される複数の駆動側電極部と、表示領域に情報を表示させる制御信号を表示器側電極部に出力するコントローラと、情報表示器と駆動装置とを着脱する着脱機構とを有する。複数の表示器側電極部は、所定方向に沿って所定ピッチで周期的に配置される。複数の駆動側電極部は、ｎ個のグループに分類され、所定方向に沿って所定ピッチの略１／ｎのピッチ（１／ｎ）で周期的に配置される。一のグループに属する駆動側電極部は、他のグループに属する駆動側電極部と隣接するように配置される。着脱機構は、情報表示器と駆動装置とが接する状態において、駆動側電極部と表示器側電極部とを電気的に接続する。【選択図】図１
2013088645.tif 000002
【特許請求の範囲】
【請求項１】
情報を表示する情報表示器と、前記情報表示器を駆動する駆動装置とを備え、前記情報表示器と前記駆動装置とが着脱可能に構成された情報表示システムであって、
前記情報表示器は、
前記情報表示器の表示領域に配置された画素電極に連結された複数の表示器側電極部を有し、
前記駆動装置は、
複数の前記表示器側電極部の各々と電気的に接続される複数の駆動側電極部と、
前記情報表示器の前記表示領域に所定の情報を表示させる制御信号を前記表示器側電極部に出力するコントローラと、
前記情報表示器と前記駆動装置とが接する状態と、前記情報表示器と前記駆動装置とが離間する状態とによって、前記情報表示器と前記駆動装置とを着脱する着脱機構とを有し、
前記複数の表示器側電極部は、所定方向に沿って所定ピッチで周期的に配置されており、
前記複数の駆動側電極部は、ｎ個のグループに分類されており、
前記複数の駆動側電極部は、所定方向に沿って前記所定ピッチの略１／ｎのピッチで周期的に配置されており、
一のグループに属する駆動側電極部は、他のグループに属する駆動側電極部と隣接するように周期的に配置されており、
前記複数の駆動側電極部は、前記着脱機構に配置されており、
前記着脱機構は、前記情報表示器と前記駆動装置とが接する状態において、前記表示器側電極部と前記駆動側電極部とを電気的に接続する
ことを特徴とする情報表示システム。
【請求項２】
所定方向に配置される複数の駆動側電極部の両端の幅は、所定方向に配置される複数の表示器側電極部の両端の幅よりも狭い
ことを特徴とする請求項１に記載の情報表示システム。
【請求項３】
前記情報表示器は、前記複数の表示器側電極部を配置した表示器側接続基板を備え、
前記着脱機構は、前記複数の駆動側電極部を配置した駆動回路側接続基板を備え、
前記表示器側接続基板と前記駆動回路側接続基板とのいずれか一方は、磁石を含んで構成され、他方は、磁性体または磁石を含んで構成される
ことを特徴とする請求項１又は２に記載の情報表示システム。
【請求項４】
前記着脱機構は、２枚の基板による挟み込み構造を有し、
前記２枚の基板のうちの一方は、前記複数の駆動側電極部を配置した第１基板であり、他方は、前記第１基板と軸ピンを介して回転可能に接続される第２基板であり、
前記第１基板と前記第２基板とのいずれか一方は、磁石を含んで構成され、他方は、磁性体または磁石を含んで構成される
ことを特徴とする請求項１又は２に記載の情報表示システム。
【請求項５】
駆動装置から出力された制御信号に基づいた情報を表示するとともに、前記駆動装置と着脱可能に構成される情報表示器であって、
前記表示領域に配置された画素電極に連結されるとともに、所定方向に沿って所定ピッチで周期的に配置される複数の表示器側電極部を有し、
前記複数の表示器側電極部は、前記駆動装置に設けられる着脱機構によって前記駆動装置と着脱されるとともに、前記着脱機構に配置され、ｎ個のグループに分類された複数の駆動側電極部と接続し、
前記所定ピッチは、所定方向に沿って周期的に配置された複数の駆動側電極部のピッチの略ｎ倍であり、
前記表示器側電極部は、前記ｎ個のグループのうちのいずれかのグループに属する駆動側電極部に接続する
ことを特徴とする情報表示器。
【請求項６】
情報を表示する情報表示器を駆動するとともに、前記情報表示器と着脱可能に構成される駆動装置であって、
前記駆動装置は、
所定方向に沿って所定ピッチで周期的に配置される複数の表示器側電極部の各々と電気的に接続される複数の駆動側電極部と、
前記情報表示器の前記表示領域に所定の情報を表示させる制御信号を前記表示器側電極部に出力するコントローラと、
前記情報表示器と前記駆動装置とが接する状態と、前記情報表示器と前記駆動装置とが離間する状態とによって、前記情報表示器と前記駆動装置とを着脱する着脱機構とを有し、
前記複数の駆動側電極部は、ｎ個のグループに分類されており、
前記複数の駆動側電極部は、所定方向に沿って前記所定ピッチの略１／ｎのピッチで周期的に配置されており、
一のグループに属する駆動側電極部は、他のグループに属する駆動側電極部と隣接するように周期的に配置されており、
前記複数の駆動側電極部は、前記着脱機構に配置されており、
前記着脱機構は、前記情報表示器と前記駆動装置とが接する状態において、前記前記駆動側電極部と前記表示器側電極部とを電気的に接続する
ことを特徴とする駆動装置。
【発明の詳細な説明】
【技術分野】
【０００１】
本発明は、情報を表示する情報表示器と、情報表示器を駆動する駆動装置とを備え、情報表示器と駆動装置とが着脱可能に構成された情報表示システム、情報表示器及び駆動装置に関する。
【背景技術】
【０００２】
従来、液晶表示装置（ＬＣＤ）に変わる情報表示システムとして、帯電粒子気体中移動方式（電子粉流体（登録商標）方式）、帯電粒子液体中移動方式（電気泳動方式）、エレクトロクロミック方式、サーマル方式、２色粒子回転方式などの技術を用いた情報表示システムが提案されている。これらの情報表示システムのなかでも帯電粒子気体中移動方式や帯電粒子液体中移動方式や２色粒子回転方式を用いた情報表示システムでは、給電を断っても情報表示器の表示領域に表示させた情報が保持される表示メモリー性を有しているため、情報表示器に情報を一旦表示させた後、情報表示器のみを電源や駆動装置などの周辺構造から切り離して単独で取り扱うことができる。
【０００３】
特許文献１には、情報表示器と駆動装置とを着脱可能にし、情報表示器を駆動するための半導体部品であるドライバＩＣを情報表示器ではなく、駆動装置に設けた情報表示システムが開示されている。特許文献１に記載された情報表示システムでは、ドライバＩＣを駆動装置に設けているため、情報表示器に劣化、不良などの不具合が起きても、情報表示器とともに高価なドライバＩＣを交換する必要がなく、低コスト化が実現できる。
【先行技術文献】
【特許文献】
【０００４】
【特許文献１】国際公開番号ＷＯ／２００８／１５６１７５  図１２など
【発明の概要】
【発明が解決しようとする課題】
【０００５】
ところが、上述した情報表示システムでは、次のような問題点がある。すなわち、情報表示器の表示領域を構成する画素電極から引き出された引き出し電極をそれぞれ駆動装置側の接続用電極に接続するため、情報表示器側の接続用電極と駆動装置側の接続用電極との接続箇所が増大する。これらの接続箇所の全てにおいて、電気的に確実に接続することが求められる。例えば、Ａ４サイズ（２１０ｍｍ×２９７ｍｍ）の表示領域にＸＧＡモノクロ規格の解像度（１０２４×７６８＝７８６４３２ピクセル）で表示できる情報表示システムでは、引き出し電極を短辺側に纏めて配置する場合、接続する箇所は、１０２４＋７６８＝１７９２箇所になり、電極中心の間隔は、２１０ｍｍ／（１０２４＋７６８）本＝１１７μｍになる。
【０００６】
従来の情報表示システムにおいて、基板に配置された電極中心の間隔は、上述のように微細である上に、接続するピン（接続用電極）の数が多くなり、電極同士の位置合わせが極めて困難になり、接続不良や短絡などの接続不具合を回避する施策が必要になる。
【０００７】
本発明は上述した状況を鑑みてなされたものであり、接続時のアライメントが容易であるとともに、接続不良や短絡などの接続不具合をより回避することが可能な情報表示システムおよびその情報表示システムを構成する情報表示器及び駆動装置を提供することを目的とする。
【課題を解決するための手段】
【０００８】
第１の特徴に係る情報表示システム（情報表示システム１）は、情報を表示する情報表示器（情報表示器１００）と、前記情報表示器を駆動する駆動装置（駆動装置２００）とを備える。前記情報表示器と前記駆動装置とが着脱可能に構成される。前記情報表示器は、少なくとも一部が前記情報表示器の表示領域（表示領域１１０）に配置された画素電極に連結された複数の表示器側電極部（表示器側電極部１３０）を有する。前記駆動装置は、複数の前記表示器側電極部の各々と電気的に接続される複数の駆動側電極部（駆動側電極部２３０）と、前記情報表示器の前記表示領域に所定の情報を表示させる制御信号を前記表示器側電極部に出力するコントローラ（コントローラ２４０）と、前記情報表示器と前記駆動装置とが接する状態と、前記情報表示器と前記駆動装置とが離間する状態とによって、前記情報表示器と前記駆動装置とを着脱する着脱機構（着脱機構２８０）とを有する。前記複数の表示器側電極部は、所定方向に沿って所定ピッチで周期的に配置される。前記複数の駆動側電極部は、ｎ個のグループに分類される。前記複数の駆動側電極部は、所定方向に沿って前記表示器側電極部における所定ピッチの略１／ｎのピッチで周期的に配置される。一のグループに属する駆動側電極部は、他のグループに属する駆動側電極部と隣接するように周期的に配置される。前記複数の駆動側電極部は、前記着脱機構に配置されており、前記着脱機構は、前記情報表示器と前記駆動装置とが接する状態において、前記表示器側電極部と前記駆動側電極部とを電気的に接続する。
【０００９】
かかる情報表示システムでは、複数の駆動側電極部は、ｎ個のグループに分類されるとともに、所定方向に沿って前記所定ピッチの略１／ｎのピッチで周期的に配置されている。一のグループに属する駆動側電極部は、他のグループに属する駆動側電極部と隣接するように周期的に配置されている。つまり、駆動側電極部のピッチは、表示器側電極部のピッチよりも狭く、かつ、表示器側電極部の１ピッチあたりに、駆動側電極部がｎ個配置される。
【００１０】
このような情報表示システムによれば、着脱機構に情報表示器を装着する際に、駆動側電極部の位置と表示器側電極部の位置とがずれても、ｎ個のグループのいずれかの駆動側電極部に接触するので、各グループの駆動側電極部から順番に制御信号を出力すれば、いずれかのグループの駆動側電極部から出力された制御信号を表示器側電極部に確実に入力させることが可能になる。すなわち、情報表示システムによれば、情報表示器と駆動装置とにおいて、接続不良や短絡などの接続不具合を回避することができる。
【００１１】
複数の駆動側電極部は、着脱機構に配置されているので、着脱機構によって、情報表示器と駆動装置とを容易に着脱できるとともに、複数の駆動側電極部と表示器側電極部との電気的な接続を確実にできる。
【００１２】
第１の特徴において、所定方向に配置される複数の駆動側電極部の両端の幅は、所定方向に配置される複数の表示器側電極部の両端の幅よりも狭い。
【００１３】
第１の特徴において、前記情報表示器は、前記複数の表示器側電極部を配置した表示器側接続基板（表示器側接続基板１４１）を備え、前記着脱機構は、前記複数の駆動側電極部を配置した駆動回路側接続基板（駆動回路側接続基板２８３）を備え、前記表示器側接続基板と前記駆動回路側接続基板とのいずれか一方は、磁石を含んで構成され、他方は、磁性体または磁石を含んで構成される。
【００１４】
第１の特徴において、前記着脱機構は、２枚の基板による挟み込み構造を有し、前記２枚の基板のうちの一方は、前記複数の駆動側電極部を配置した第１基板（可動部２８２）であり、他方は、前記第１基板と軸ピンを介して回転可能に接続される第２基板（ベース部２８１）であり、前記第１基板と前記第２基板とのいずれか一方は、磁石を含んで構成され、他方は、磁性体または磁石を含んで構成される。
【００１５】
第２の特徴に係る情報表示器は、駆動装置から出力された制御信号に基づいた情報を表示するとともに、前記駆動装置と着脱可能に構成される。情報表示器は、前記表示領域に配置された画素電極に連結されるとともに、所定方向に沿って所定ピッチで周期的に配置される複数の表示器側電極部を有する。前記複数の表示器側電極部は、前記駆動装置に設けられる着脱機構によって前記駆動装置と着脱されるとともに、前記着脱機構に配置され、ｎ個のグループに分類された複数の駆動側電極部と接続する。前記所定ピッチは、所定方向に沿って周期的に配置された複数の駆動側電極部のピッチの略ｎ倍である。前記表示器側電極部は、前記ｎ個のグループのうちのいずれかのグループに属する駆動側電極部に接続する。
【００１６】
第３の特徴に係る駆動装置は、情報を表示する情報表示器を駆動するとともに、前記情報表示器と着脱可能に構成される。前記駆動装置は、所定方向に沿って所定ピッチで周期的に配置される複数の表示器側電極部の各々と電気的に接続される複数の駆動側電極部と、前記情報表示器の前記表示領域に所定の情報を表示させる制御信号を前記表示器側電極部に出力するコントローラと、前記情報表示器と前記駆動装置とが接する状態と、前記情報表示器と前記駆動装置とが離間する状態とによって、前記情報表示器と前記駆動装置とを着脱する着脱機構とを有する。前記複数の駆動側電極部は、ｎ個のグループに分類されている。前記複数の駆動側電極部は、所定方向に沿って前記所定ピッチの略１／ｎのピッチで周期的に配置されている。一のグループに属する駆動側電極部は、他のグループに属する駆動側電極部と隣接するように周期的に配置されている。前記複数の駆動側電極部は、前記着脱機構に配置されている。前記着脱機構は、前記情報表示器と前記駆動装置とが接する状態において、前記前記駆動側電極部と前記表示器側電極部とを電気的に接続する。
【発明の効果】
【００１７】
本発明によれば、接続不良や短絡などの接続不具合をより回避する情報表示システム、その情報表示システムを構成する情報表示器及び駆動装置を提供できる。
【図面の簡単な説明】
【００１８】
【図１】図１は、本発明の第１実施形態に係る情報表示システムの構成を説明する構成図である。
【図２】図２は、本発明の第１実施形態に係る着脱機構の構成を示す斜視図である。
【図３】図３は、本発明の第１実施形態に係る情報表示システムを構成する情報表示器の表示器側電極部および駆動装置の駆動側電極部を拡大した拡大図である。
【図４】図４（ａ）〜（ｃ）は、本発明の第１実施形態に係る情報表示システムを構成する着脱機構における情報表示器の表示器側電極部と駆動装置の駆動側電極部との接続態様を説明する模式図である。
【図５】図５は、本発明の第１実施形態に係る情報表示システムを制御する情報表示システムの制御方法を説明する図である。
【図６】図６は、本発明の第２実施形態に係る情報表示システムを構成する情報表示器の表示器側電極部および駆動装置の駆動側電極部を拡大した拡大図である。
【図７】図７は、本発明の第２実施形態に係る情報表示システムを制御する情報表示システムの制御方法を説明するフローチャートである。
【図８】図８は、本発明の第３実施形態に係る情報表示システムの構成を説明する構成図である。
【図９】図９は、本発明の実施形態の変形例に係る情報表示システムを構成する情報表示器の表示器側電極部および駆動装置の駆動側電極部を拡大した拡大図である。
【図１０】図１０は、本発明の実施形態の変形例に係る着脱機構の構成を示す斜視図である。
【図１１】図１１は、本発明の実施形態の変形例に係る着脱機構の構成を示す斜視図である。
【図１２】図１２（ａ）は、図１１における着脱機構の断面図である。図１２（ｂ）は、図１１における着脱機構の断面図である。
【図１３】図１３は、本発明の他の実施形態に係る着脱機構の構成を示す斜視図である。
【図１４】図１４は、本発明の他の実施形態に係る着脱機構の構成を示す斜視図である。
【発明を実施するための形態】
【００１９】
本発明に係る情報表示システムの実施形態について、図面を参照しながら説明する。具体的には、（１）第１実施形態、（２）第２実施形態、（３）第３実施形態、（４）変形例、（５）その他の実施形態について説明する。
【００２０】
なお、以下の図面の記載において、同一部分には、同一の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれる。
【００２１】
（１）第１実施形態
ここでは、（１−１）情報表示システムの構成、（１−２）着脱機構の構成、（１−３）駆動側電極部の構成、（１−４）表示器側電極部と駆動側電極部との接続態様の説明、（１−５）情報表示システムの制御方法、（１−６）作用・効果について説明する。
【００２２】
（１−１）情報表示システムの構成
図１は、本発明の第１実施形態に係る情報表示システム１の構成を説明する構成図である。図１に示すように情報表示システム１は、所定の情報を表示する情報表示器１００と、情報表示器１００を駆動する駆動装置２００とを備え、情報表示器１００と駆動装置２００とが着脱可能に構成される。
【００２３】
情報表示器１００は、所定の情報が表示される表示領域１１０と、表示領域１１０に配置された画素電極（不図示）から引き出された配線１２０と、配線の端部に連結された表示器側電極部１３０と、表示器側電極部１３０が配置される表示器側接続部１４０とを有する。
【００２４】
図１に示す情報表示システム１では、情報表示器１００は、少なくとも一方が透明な２枚の電極付き基板間の気体中空間（真空中を含む）に、光学的反射率を有する帯電性粒子を含む粒子群として構成した表示媒体を少なくとも１種類以上配置するか、より好ましくは封入し、表示媒体に電界を付与することによって、表示媒体を移動させて画像などの情報を表示する気体中粒子移動方式ディスプレイパネルである。後述するが、表示媒体および駆動方式は上記に限定されない。
【００２５】
情報表示器１００の表示領域１１０には、画素電極対を形成する互いに直交する行方向のライン電極（不図示）と、列方向のライン電極（不図示）とが設けられており、表示領域１１０の端部まで引き出されて配線１２０に接続されている。
【００２６】
配線１２０は、表示領域１１０に配置された画素電極（不図示）に連結されており、表示器側電極部１３０は、配線１２０の端部に連結されている。すなわち、表示器側電極部１３０は、表示領域１１０に配置された画素電極（不図示）に連結されている。表示器側電極部１３０は、所定の領域に集められて配置されている。表示器側接続部１４０は、表示器側電極部１３０を配置しており、駆動装置２００との接続部分を構成する。
【００２７】
駆動装置２００は、表示器側電極部１３０の各々と電気的に接続される複数の駆動側電極部２３０と、情報表示器１００の表示領域１１０に所定の情報を表示させる制御信号を表示器側電極部１３０に出力するコントローラ２４０と、着脱機構２８０とを備える。コントローラ２４０は、ＣＰＵ、ＲＯＭ、ＲＡＭ、タイミング信号発生回路などを備える。ＣＰＵは、ＲＯＭに格納された制御プログラムに従って、後述するドライバＩＣ２１０Ａ，２１０Ｂなどを制御する。
【００２８】
図１に示す駆動装置２００は、表示器側電極部１３０に情報表示器１００を駆動する制御信号を出力するドライバＩＣ２１０Ａ，２１０Ｂを有する。ドライバＩＣ２１０Ａ，２１０Ｂは、記憶部２５０から読み出したデータに基づいて、表示器側電極部１３０に所定の電圧を印加するか、または、ハイインピーダンスの状態にする。図１に示す駆動装置２００では、表示器側電極部１３０を制御する制御信号は、コントローラ２４０から直接送信されず、ドライバＩＣ２１０Ａ，２１０Ｂから送信される。情報表示器１００では、この制御信号に基づいた情報が表示される。
【００２９】
また、駆動装置２００は、情報表示器１００に表示する所定の情報などのデータが格納された記憶部２５０と、コントローラ２４０の電源回路２６０とを有する。記憶部２５０は、半導体メモリー、ハードディスク等により構成されている。記憶部２５０は、書き換え可能なＵＳＢメモリー等の記録媒体であってもよい。電源回路２６０は、情報の表示或いは消去に応じた所定の電圧を発生させる。
【００３０】
図１に示す実施形態では、駆動側電極部２３０は、複数のグループに分けられている。複数の駆動側電極部２３０には、第１グループに属する第１駆動側電極部２３１と、第２グループに属する第２駆動側電極部２３２とが含まれる。図１に示す実施形態では、異なるグループに属する駆動側電極部２３０が基板面に順に配置されている。すなわち、第１駆動側電極部２３１と第２駆動側電極部２３２とが交互に配置されている。配線２２０は、駆動側電極部２３０に含まれる。
【００３１】
表示器側電極部１３０及び駆動側電極部２３０の材質としては、酸化インジウム錫（ＩＴＯ）、酸化インジウム亜鉛（ＩＺＯ）等の導電性金属酸化物を用いてもよい。或いは、表示器側電極部１３０及び駆動側電極部２３０の材質としては、銅、アルミニウム、ニッケル、クロムなどの金属を用いてもよく、金、銀、白金、パラジウムなどの貴金属を用いてもよく、これらの合金を用いてもよい。抜き挿し方式の接続部ＣＮを構成する場合には、曲げや擦過に対する強度に優れている材料を電極部材料として用いることが好ましい。このような材料は、例えば、上述した金属、貴金属又は合金である。このうち、安価な良導電性材料である銅を好ましく用いることができる。
【００３２】
図１に示す実施形態では、第１駆動側電極部２３１は、ドライバＩＣ２１０Ａに接続される。ドライバＩＣ２１０Ａは、第１グループに属する第１駆動側電極部２３１に表示器側電極部１３０を駆動する制御信号を出力する。第２駆動側電極部２３２は、ドライバＩＣ２１０Ｂに接続される。ドライバＩＣ２１０Ｂは、第２グループに属する第２駆動側電極部２３２に表示器側電極部１３０を駆動する制御信号を出力する。
【００３３】
コントローラ２４０は、表示器側電極部１３０と駆動側電極部２３０とが電気的に接続された状態で、異なるグループに属する第１駆動側電極部２３１と第２駆動側電極部２３２に対して、異なるタイミングで制御信号を出力する。
【００３４】
なお、第１実施形態では、複数の駆動側電極部２３０が２つのグループに分類されるケースについて例示しているに過ぎない。複数の駆動側電極部２３０は、ｎ個のグループに分類されてもよい（但し、ｎは整数）。
【００３５】
着脱機構２８０は、情報表示器１００と駆動装置２００が接する状態と、情報表示器１００と駆動装置２００とが離間する状態とによって、情報表示器１００と駆動装置２００とを着脱する。着脱機構２８０には、複数の駆動側電極部２３０が配置されている。着脱機構２８０は、情報表示器１００と駆動装置２００とが接する状態において、駆動側電極部２３０と表示器側電極部１３０とを電気的に接続する。
【００３６】
ここで、本実施形態において、「情報表示器１００と駆動装置２００とが接する状態」とは、情報表示器１００の複数の表示器側電極部１３０と駆動装置２００の複数の駆動側電極部２３０とが接触し、少なくとも双方の電極同士の導通が確保された状態を示す。なお、「情報表示器１００と駆動装置２００とが接する状態」には、情報表示器１００の複数の表示器側電極部１３０と駆動装置２００の複数の駆動側電極部２３０とが機械的に接する状態を含めてもよい。例えば、電極同士の相対位置が容易にずれないように保持された状態、又は、電極同士の接触圧が所定の値以上に保持された状態なども含めてもよい。
【００３７】
また、本実施形態において、「情報表示器１００と駆動装置２００とが離間する状態」とは、情報表示器１００の複数の表示器側電極部１３０と駆動装置２００の複数の駆動側電極部２３０とが離間し、双方の電極同士の導通が確保されない状態を示す。なお、着脱機構２８０の詳細については後述する。
【００３８】
図１に示す情報表示システム１において、表示器側電極部１３０が配置される表示器側接続部１４０と、駆動側電極部２３０が配置される着脱機構２８０とは、情報表示器１００と駆動装置２００とを電気的に接続する接続部ＣＮを構成する。
【００３９】
（１−２）着脱機構の構成
図２は、着脱機構２８０の構成を説明する斜視図である。本実施形態に係る着脱機構２８０は、クリップ方式によって、情報表示器１００と駆動装置２００とを着脱する。具体的に、図２に示すように、着脱機構２８０は、ベース部２８１と可動部２８２とを備える。
【００４０】
ベース部２８１は、情報表示器１００の表示器側接続部１４０が載置される載置部２８４を有する。載置部２８４の端部２８５は、載置部２８４からせり上がる段差状に形成されている。本実施形態では、載置部２８４の端部２８５は、表示器側接続部１４０の挿抜方向（図２の例では、Ｘ方向）に対して直角方向（図２の例では、Ｙ方向）に直線状に延びるように形成されている。
【００４１】
本実施形態では、表示器側接続部１４０の端部１４５も、直線状に延びるように形成されている。表示器側接続部１４０が載置部２８４に載置される際、表示器側接続部１４０の端部１４５が、載置部２８４の端部２８５に突き当てられることで、挿抜方向において、表示器側電極部１３０の位置と、駆動側電極部２３０の位置とを容易に合わせることができる。
【００４２】
可動部２８２には、複数の駆動側電極部２３０が配置されている。ベース部２８１と可動部２８２とは、軸となるピンとスプリングとによって組み合わせられ、着脱機構２８０を構成する。着脱機構２８０は、ベース部２８１と可動部２８２とが、情報表示器１００の表示器側接続部１４０を挟み込むことで、情報表示器１００の複数の表示器側電極部１３０と駆動装置２００の複数の駆動側電極部２３０とが接する状態となる。着脱機構２８０は、この状態において、駆動側電極部２３０と表示器側電極部１３０とを電気的に接続する。
【００４３】
着脱機構２８０は、ベース部２８１と可動部２８２とが、情報表示器１００の表示器側接続部１４０を開放することによって、情報表示器１００の複数の表示器側電極部１３０と駆動装置２００の複数の駆動側電極部２３０とが離間する状態となる。着脱機構２８０は、この状態において、駆動側電極部２３０と表示器側電極部１３０とを電気的に切離する。
【００４４】
また、図２に示すように、本実施形態では、所定方向に配置される複数の駆動側電極部２３０の両端の幅Ｗ１は、所定方向に配置される複数の表示器側電極部１３０の両端の幅Ｗ２よりも狭くなるように配置されていてもよい。なお、かかる所定方向は、図２の例では、着脱機構２８０の幅方向（図２に示すＹ方向）及び情報表示器１００の表示器側接続部１４０の幅方向（図２に示すＹ方向）を示す。
【００４５】
この場合、表示器側接続部１４０の両端をガイドする構造として溝やリブ、レール、段差などを着脱機構２８０の載置部２８４に形成しておけば、挿抜方向だけでなく、挿抜方向の直角方向（図２の例では、Ｙ方向）においても、表示器側電極部１３０の位置と、駆動側電極部２３０の位置とをより容易に合わせることができる。表示器側接続部１４０の端部１４５が、着脱機構２８０の載置部２８４の端部２８５に突き当てられることで、挿抜方向（図２の例ではＸ方向）のアライメントが行え、表示器側接続部１４０の両端をガイドする構造を着脱機構２８０の載置部２８４に形成しておくことで、挿抜方向の直角方向（図２の例では、Ｙ方向）のアライメントが行える。
【００４６】
このような構成によれば、利用者は、着脱機構２８０に設けられる複数の駆動側電極部２３０を複数の表示器側電極部１３０の両端の範囲内に取り付け易くなるとともに、情報表示器１００の表示領域１１０内に所定の情報を確実に表示させることができる。なお、上述の例では、可動部２８２には、複数の駆動側電極部２３０が配置されている場合を例に挙げて説明したが、ベース部２８１に複数の駆動側電極部２３０が配置されていてもよい。ベース部２８１に複数の駆動側電極部２３０が配置されている場合には、ベース部２８１と可動部２８２とが、情報表示器１００の表示器側接続部１４０を開放するとともに表示器１００を着脱機構２８０から取り外すことによって、情報表示器１００の複数の表示器側電極部１３０と駆動装置２００の複数の駆動側電極部２３０とが離間する状態となるので、この状態において、駆動側電極部２３０と表示器側電極部１３０とが電気的に切離される。
【００４７】
（１−３）駆動側電極部の構成
図３は、情報表示システム１を構成する情報表示器１００の表示器側電極部１３０および駆動装置２００における駆動側電極部２３０を拡大した拡大図である。第１駆動側電極部２３１と第２駆動側電極部２３２は、所属するグループが異なることを分かり易くするために符号により区別しているが、同じ構成を有する。ここでは、駆動側電極部２３０について説明する。
【００４８】
各駆動側電極部２３０は、ドライバＩＣ２１０Ａ，２１０Ｂに連結される配線２２０の端部に連結されており、配線２２０の端部に取り付けられた矩形状の電極パッド２３０Ａを有する。なお、表示器側電極部１３０は、配線１２０の端部に取り付けられた矩形状の電極パッド１３０Ａを有する。
【００４９】
ここで、表示器側電極部１３０（電極パッド１３０Ａ）のピッチは、“Ｐｄｐ”で表される。ピッチＰｄｐは、互いに隣接する表示器側電極部１３０（電極パッド１３０Ａ）の中心の間隔である。電極パッド１３０Ａの幅は、“Ｗｄｐ”で表される。表示器側電極部１３０（電極パッド１３０Ａ）間のギャップは、“Ｗｄｇ”で表される。ギャップＷｄｇは、互いに隣接する電極パッド１３０Ａ間に設けられる間隙である。なお、“Ｐｄｐ”は、“Ｐｄｐ”＝“Ｗｄｐ”＋“Ｗｄｇ”の関係で表される。
【００５０】
また、駆動側電極部２３０（電極パッド２３０Ａ）のピッチは、“Ｐｐ”で表される。ピッチＰｐは、互いに隣接する駆動側電極部２３０（電極パッド２３０Ａ）の中心の間隔である。電極パッド２３０Ａの幅は、“Ｗｐ”で表される。駆動側電極部２３０（電極パッド２３０Ａ）間のギャップは、“Ｗｇ”で表される。ギャップＷｇは、互いに隣接する電極パッド２３０Ａ間に設けられる間隙である。なお、“Ｐｐ”は、“Ｐｐ”＝“Ｗｐ”＋“Ｗｇ”の関係で表される。
【００５１】
さらに、同一グループに属する駆動側電極部２３０（電極パッド２３０Ａ）のうち、互いに隣接する駆動側電極部２３０（電極パッド２３０Ａ）間のギャップは、“Ｗｎｇ”で表される。なお、図３に示すように、駆動側電極部２３０が２つのグループに分類される場合には、“Ｗｎｇ”は、“Ｗｐ”＋２×“Ｗｇ”で表される。
【００５２】
第１に、ピッチＰｄｐは、Ｐｐの略ｎ倍（ｎは、グループ数）である。言い換えると、Ｐｐは、ピッチＰｄｐの略１／ｎである。なお、“略”とは、ピッチ“Ｐｄｐ”及び電極パッド１３０Ａの数によって定まるずれ幅を含むことを意味する。
【００５３】
第２に、幅Ｗｐ及びギャップＷｇは、Ｗｐ＞Ｗｇの関係（以下、条件Ａ）を満たすことが好ましい。また、幅Ｗｄｐ及びギャップＷｇは、Ｗｄｐ＞Ｗｇの関係（以下、条件Ｂ）を満たすことが好ましい。これによって、情報表示器１００と駆動装置２００との位置関係がずれたとしても、表示器側電極部１３０（電極パッド１３０Ａ）は、いずれかのグループに属する駆動側電極部２３０（電極パッド２３０Ａ）に必ず接続される。
【００５４】
第３に、幅Ｗｄｐ及びギャップＷｎｇは、Ｗｄｐ＜Ｗｎｇの関係（以下、条件Ｃ）を満たすことが好ましい。これによって、表示器側電極部１３０（電極パッド１３０Ａ）は、同一グループに属する駆動側電極部２３０（電極パッド２３０Ａ）のうち、互いに隣接する駆動側電極部２３０（電極パッド２３０Ａ）に接続されることがない。
【００５５】
なお、条件Ａ〜条件Ｃが満たされなくても、表示器側電極部１３０（電極パッド１３０Ａ）がいずれかのグループに属する駆動側電極部２３０（電極パッド２３０Ａ）に接続されることもあることに留意すべきである。
【００５６】
（１−４）表示器側電極部と駆動側電極部との接続態様の説明
駆動側電極部２３０と、表示器側電極部１３０との接続状態について説明する。図４（ａ）〜（ｃ）は、情報表示システム１の情報表示器１００と駆動装置２００との接続態様を説明する模式図である。
【００５７】
駆動側電極部２３０と表示器側電極部１３０との接続状態は、図４（ａ）〜（ｃ）に示すケースで説明することができる。情報表示システム１では、表示器側接続部１４０が着脱機構２８０に装着され、表示器側接続部１４０と駆動側電極部２３０が形成されているベース部（図２に示した例では、ベース部２８２）とが互いに重ね合せられて、駆動側電極部２３０と表示器側電極部１３０とが重ね合わされて互いに接続されている。ここでは、説明のため、両者の接続状態が分かるように表示器側接続部１４０と着脱機構２８０のベース部２８２とを透視した状態で表している。すなわち、図４に示す状態は、紙面の垂直方向下側に駆動装置２００の駆動側電極部２３０が配置されており、駆動装置２００に対して紙面の垂直方向上側に情報表示器１００の表示器側電極部１３０が重ね合わされた状態である。
【００５８】
なお、図４（ａ）〜（ｃ）では、説明のため、表示器側電極部１３０及び表示器側電極部１３０に連結される配線１２０を電極１１，１２と表し、駆動側電極部２３０の電極パッド２３０Ａと配線２２０とをグループＡに属する電極Ａ１，Ａ２と表し、グループＢに属する電極Ｂ１，Ｂ２と表す。
【００５９】
図４（ａ）は、駆動側電極部２３０と表示器側電極部１３０とが正常に接続された場合を示した図である。すなわち、この場合のずれｄ０は、０≦ｄ０＜Ｗｇであり、電極１１，２と電極Ａ１，Ｂ１とが合致している。図４（ｂ）は、図４に示すＤ方向に駆動側電極部２３０と表示器側電極部１３０とが距離ｄ１（Ｗｇ≦ｄ１＜Ｗｐ）ずれた状態で接続されたケースを表す。この場合、電極１１は、電極Ａ１と電極Ｂ１に接続される。同様に、電極１２は、電極Ａ２と電極Ｂ２に接続される。図４（ｃ）は、図４に示すＤ方向に駆動側電極部２３０と表示器側電極部１３０が距離ｄ２（Ｗｐ≦ｄ２＜（Ｐｐ＋Ｗｇ））ずれた状態で接続されたケースを表す。この場合、電極１１は、電極Ｂ１に接続される。同様に、電極１２は、電極Ｂ２に接続される。
【００６０】
駆動側電極部２３０は、上述の構成を備えるため、駆動装置２００と情報表示器１００とを接続する際に、表示器側電極部１３０と駆動側電極部２３０とが厳密に重なって正常に接続されなくても、駆動側電極部２３０と表示器側電極部１３０とが接続されて電気的に導通する。
【００６１】
（１−５）情報表示システムの制御方法
図５は、情報表示システム１の情報表示器１００に所定の情報を表示するときの制御方法を説明する図である。図５には、制御方法を説明するフローチャートの各ステップと、表示領域１１０に表示されている情報とが紐付けて表されている。
【００６２】
駆動装置２００のコントローラ２４０は、以下の手順に基づいて、所定の情報を表示領域１１０に表示するようにドライバＩＣ２１０Ａ，２１０Ｂを制御する。
【００６３】
ステップＳ１において、コントローラ２４０は、何れかのグループを選択し、選択されたグループ以外のグループに属する複数の駆動側電極部２３０をハイインピーダンスに設定する。ステップＳ２において、コントローラ２４０は、選択されたグループの駆動側電極部２３０に情報を表示するための制御信号を出力する。
【００６４】
すなわち、実施形態の情報表示システム１では、コントローラ２４０は、グループＡを選択し、グループＢに属する複数の駆動側電極部２３０（この場合、第２駆動側電極部２３２）をハイインピーダンスに設定する。続いて、情報表示システム１は、選択されたグループの駆動側電極部２３０（この場合、第１駆動側電極部２３１）に情報を表示するための制御信号を出力する。なお、書き換え処理に先立ってリセット処理（消去処理）が行われる。
【００６５】
表示器側電極部１３０と駆動側電極部２３０との接続状態が、例えば、図４（ａ）または図４（ｂ）のケースであれば、ステップＳ２を終えたとき、表示領域１１０に新たな情報が表示される。
【００６６】
ステップＳ３において、コントローラ２４０は、ステップＳ１で選択されたグループ以外のグループから何れかのグループを選択し、選択されたグループ以外のグループに属する複数の駆動側電極部２３０をハイインピーダンスに設定する。ステップＳ４において、コントローラ２４０は、選択されたグループの駆動側電極部２３０に情報を表示するための制御信号を出力する。
【００６７】
すなわち、実施形態の情報表示システム１では、コントローラ２４０は、グループＢを選択し、グループＡに属する複数の駆動側電極部２３０（この場合、第１駆動側電極部２３１）をハイインピーダンスに設定する。続いて、情報表示システム１は、選択されたグループの駆動側電極部２３０（この場合、第２駆動側電極部２３２）に情報を表示するための制御信号を出力する。
【００６８】
表示器側電極部１３０と駆動側電極部２３０との接続状態が、例えば、図４（ｃ）のケースであれば、ステップＳ４を終えたとき、表示領域１１０に新たな情報が表示される。図４（ｂ）のケースでは、グループＡの駆動側電極部２３０とグループＢの駆動側電極部２３０の両方に接続されているため、ステップＳ４を終えると、ステップＳ３で選択されたグループの駆動側電極部２３０からの制御信号によって表示領域１１０に情報が再び表示される。
【００６９】
図５に示したフローチャートに従って、コントローラ２４０に制御されることにより、図４（ａ）〜図４（ｂ）のいずれの接続状態になっていても、情報表示器１００には所定の情報が表示される。
【００７０】
（１−６）作用・効果
以上説明したように、情報表示システム１は、情報を表示する情報表示器１００と、情報表示器１００を駆動する駆動装置２００とが着脱機構２８０を介して着脱可能に構成されており、情報表示器１００は、表示領域１１０に配置された画素電極（表示用電極）に連結された複数の表示器側電極部１３０を有し、駆動装置２００は、表示器側電極部１３０の各々と電気的に接続される複数の駆動側電極部２３０と、表示領域１１０に情報を表示させる制御信号を表示器側電極部１３０に出力するコントローラ２４０とを有する。駆動側電極部２３０は、ｎ個のグループに分類されるとともに、所定方向に沿って所定ピッチＰｄｐの略１／ｎのピッチＰｐで周期的に配置されている。一のグループに属する駆動側電極部２３０は、他のグループに属する駆動側電極部２３０と隣接するように周期的に配置されている。つまり、駆動側電極部２３０のピッチＰｐは、表示器側電極部のピッチよりも狭く、かつ、表示器側電極部の１ピッチあたりに、駆動側電極部２３０が２個以上配置される。
【００７１】
コントローラ２４０は、表示器側電極部１３０と駆動側電極部２３０とが接続された状態で、異なるグループに属する駆動側電極部２３０に対して、異なるタイミングで制御信号を出力する。
【００７２】
このため、表示器側電極部１３０の位置と駆動側電極部２３０の位置とがずれても、表示器側電極部１３０が、ｎ個のグループのいずれかの駆動側電極部２３０に接続していれば、コントローラ２４０から各グループの駆動側電極部２３０に対して異なるタイミングで送られる制御信号に基づいて、表示領域１１０の情報を書き換えることができる。すなわち、情報表示システム１によれば、情報表示器１００と駆動装置２００とにおいて、接続不良や短絡などの接続不具合を回避して、情報表示器１００に所定の情報を表示させることができる。
【００７３】
また、情報表示システム１では、複数の駆動側電極部２３０と複数の表示器側電極部１３０とが上述した配置構成で形成されているので、精密なアライメントを取らなくても適正な電気的接続を得ることができる。また、複数の駆動側電極部２３０は、着脱機構２８０に配置されているので、着脱機構２８０によって、情報表示器１００の複数の表示器側電極部１３０と駆動装置２００の複数の駆動側電極部２３０とを容易に着脱できるとともに、複数の駆動側電極部２３０と表示器側電極部１３０との電気的な接続を容易にできる。
【００７４】
また、情報表示システム１では、複数の駆動側電極部２３０の両端の幅Ｗ１が、複数の表示器側電極部１３０の両端の幅Ｗ２よりも狭くなるように配置されていることが好ましい。言い換えると、表示器側電極部１３０を駆動側電極部２３０の両端よりも外側に余分に形成する（例えば、１ライン以上多く形成する）ことが好ましい。このような構成によって、利用者は、着脱機構２８０に設けられる複数の駆動側電極部２３０を複数の表示器側電極部１３０の両端の範囲内に取り付け易くなるとともに、駆動側電極部２３０と表示器側電極部１３０とに位置ずれが起きたとしても、言い換えれば、精密なアライメントを取らなくても、情報表示器１００の表示領域１１０内に所定の情報を確実に表示させることができる。
【００７５】
図１に示す実施形態では、第１グループに属する第１駆動側電極部２３１と、第２グループに属する第２駆動側電極部２３２とが基板面に交互に配置されている。また、各駆動側電極部２３０（第１駆動側電極部２３１及び第２駆動側電極部２３２）は、電極パッド２３０Ａの幅Ｗｐと、隣接する電極パッド２３０Ａ間のギャップＷｇは、Ｗｐ＞Ｗｇを満たす。図１に示す構成では、表示器側電極部１３０の間隔Ｐｄｐは、Ｐｄｐ＝２Ｐｐである。
【００７６】
例えば、Ａ４サイズ（２１０×２９７ｍｍ）の表示領域にＸＧＡモノクロ規格の解像度（１０２４×７６８＝７８６４３２ピクセル）で表示できるように構成し、Ａ４サイズの短辺部分に縦横ライン電極から引き出された表示器側電極部１３０を配置する場合、２１０ｍｍの範囲に、（１０２４＋７６８＝１７９２）本の表示器側電極部１３０が配置される。従って、接続する箇所は、１０２４＋７６８＝１７９２箇所になり、配線２２０の間隔Ｐｐは、数百μｍ〜百数十μｍになる。
【００７７】
情報表示システム１では、駆動装置２００側の駆動側電極部２３０を少なくとも２つのグループに分け、上記関係を満たすように構成することにより、例えば、駆動側電極部２３０と表示器側電極部１３０との接続状態が図４（ａ）〜（ｃ）に示す何れかのケースになり、表示器側電極部１３０と駆動側電極部２３０とが厳密に重なって正常に接続されなくても、言い換えれば、精密なアライメントを取らなくても、駆動側電極部２３０と表示器側電極部１３０とが接続されて電気的に導通し得る。すなわち、駆動側電極部２３０と表示器側電極部１３０とが正常に接続しない場合が無くなる。従って、情報表示器１００と駆動装置２００とを表示の不具合がおこらないように確実に接続することができる。
【００７８】
実施形態では、図４に示したように、位置ずれがｄ０，ｄ１，ｄ２の範囲であれば、情報表示器１００に正しく表示される。また、電極１１が電極Ａ２，Ｂ２に接触するような位置ずれが起きた場合には、電極１１から順に配列される電極のうち最後の電極Ｎに通電されないことになるが、表示領域１１０の全域に表示の不具合が発生することはない。
【００７９】
また、表示器側電極部１３０及び駆動側電極部２３０の材質としては、上述したように、酸化インジウム錫（ＩＴＯ）、酸化インジウム亜鉛（ＩＺＯ）等の導電性金属酸化物を用いてもよい。或いは、表示器側電極部１３０及び駆動側電極部２３０の材質としては、銅、アルミニウム、ニッケル、クロムなどの金属を用いてもよく、金、銀、白金、パラジウムなどの貴金属を用いてもよく、これらの合金を用いてもよい。
【００８０】
導電性材料から電極パットとしての導電膜を形成する方法としては、次の方法が挙げられる。例えば、上述した導電性材料を基板面にスパッタリング法、真空蒸着法、ＣＶＤ法、塗布法などにより薄膜状に形成することができる。また、金属材料については、金属箔（例えば、圧延銅箔）を形成し、基板面にラミネートする方法を用いてもよい。更に、導電性材料を含む導電剤を溶媒や合成樹脂バインダーに混合し、基板面に塗布する方法などを用いることができる。導電性材料は、パターン形成が可能であるため、成形性もよく、好適に使用できる。
【００８１】
導電膜を金属材料で形成する場合には、上述した形成方法のなかでも、金属材料を圧延した薄膜が好ましい。圧延した薄膜は、蒸着により形成された薄膜やスパッタリングにより形成された薄膜に比べて、曲げや擦過に対する強度を高めることができる。導電膜を配置する基板と、導電膜との密着性を高めるために、アンカー材を設けてもよい。
【００８２】
電極パッドとしての導電膜の厚さは、導電性が確保できればよく、一例として、０．０１μｍ〜１０μｍが好ましく、０．０５μｍ〜５μｍがより好ましい。
【００８３】
第１実施形態に示す情報表示システム１では、駆動側電極部２３０の電極パッド２３０Ａの幅Ｗｐと、隣接する電極パッド２３０Ａ間のギャップＷｇがＷｐ＞Ｗｇを満たし、表示器側電極部１３０のピッチ（間隔）ＰｄｐがＰｄｐ＝２Ｐｐを満たす構成と合わせて、コントローラ２４０は、図５に示したフローチャートに従う処理を実行する。
【００８４】
すなわち、コントローラ２４０は、選択したグループ以外のグループに属する駆動側電極部２３０をハイインピーダンスに設定し、選択されたグループの駆動側電極部２３０にのみ制御信号を出力する処理を、全グループに行うため、表示器側電極部１３０は、必ず何れかのグループに属する駆動側電極部２３０と接続されて制御信号を受け取ることができる。従って、一連の処理が終了したときには、図４（ａ）〜図４（ｂ）のいずれの接続状態になっていても、ショートなどの不良を引き起こすことなく、情報表示器１００の表示領域１１０に新たな情報を必ず表示することができる。
【００８５】
（２）第２実施形態
次に、第２実施形態について説明する。ここでは、（２−１）駆動装置の駆動側電極部、（２−２）情報表示システムの制御方法、（２−３）作用・効果について説明する。
【００８６】
（２−１）駆動装置の駆動側電極部
図６は、駆動装置２００の着脱機構４８０における駆動側電極部４３０（電極パッド４３０Ａ）が形成された駆動側接続部４００および情報表示器１００の表示器側接続部３００を拡大した拡大図である。第２実施形態として示す情報表示システム２は、情報表示器３００と、駆動装置４００とを備え、情報表示器１００側の接続部３００と駆動装置２００の駆動側接続部４００とは、着脱機構４８０によって着脱可能に構成されている。
【００８７】
情報表示システム２の情報表示器１００の表示器側接続部３００及び駆動装置２００の駆動側接続部４００には、第１実施形態の表示器側電極部１３０及び駆動側電極部２３０に加えて、表示器側電極部１３０に接続された駆動側電極部２３０のグループを検出する検出部を有する。
【００８８】
情報表示システム２は、短絡されたショート配線３２１と、ショート配線３２１の端部に連結された表示器側電極部３３０とを有する。また、表示器側電極部３３０の各々と電気的に接続される複数の駆動側電極部４３０を備える。駆動側電極部４３０は、複数のグループに分けられている。複数の駆動側電極部４３０には、第１グループに属する第１駆動側電極部４３１と、第２グループに属する第２駆動側電極部４３２とが含まれる。第１駆動側電極部４３１と第２駆動側電極部４３２とは、配線４２１に連結されている。配線４２１は、グループを検出する検出回路２７０に接続されている。表示器側電極部３３０、ショート配線３２１、配線４２１、配線４２１に連結された第１駆動側電極部４３１、第２駆動側電極部４３２、及び検出回路２７０は、検出部を構成する。
【００８９】
検出回路２７０に接続される表示器側電極部３３０のピッチ（間隔）は、駆動側電極部２３０に接続される表示器側電極部１３０のピッチ（間隔）と同じＰｄｐである。また、駆動側電極部４３０（第１駆動側電極部４３１、第２駆動側電極部４３２）は、矩形状の電極パッド４３０Ａを有し、電極パッド４３０Ａの幅Ｗｐと、隣接する電極パッド４３０Ａ間のギャップＷｇと、配線４２０のピッチ（間隔）Ｐｐとの間には、Ｐｐ＝Ｗｐ＋ＷｇかつＷｐ＞Ｗｇの関係が成り立つ。駆動側電極部４３０が図６に示す構成となっている場合には、駆動側電極部４３０に対応する表示器側電極部３３０の間隔Ｐｄｐは、Ｐｄｐ＝２Ｐｐ（但し、Ｐｐ＝Ｗｐ＋Ｗｇ）である。
【００９０】
図６では、説明のため、表示器側電極部３３０に連結されるショート配線３２１を配線Ｓと表し、グループＡに属する第１駆動側電極部４３１を電極ＤＡ１、ＤＡ２、グループＢに属する第２駆動側電極部４３２を電極ＤＢ１，ＤＢ２と表す。検出回路２７０は、配線Ｓによりショートしている電極を検出することにより、グループＡ，Ｂどちらの駆動側電極部２３０が表示器側電極部１３０に接続されているかを検出する。
【００９１】
（２−２）情報表示システムの制御方法
図７は、本発明の第２実施形態に係る情報表示システム２を制御する情報表示システムの制御方法を説明するフローチャートである。図示しないコントローラ２４０は、検出部によって接続されていることが検出されたグループ以外のグループに属する複数の駆動側電極部をハイインピーダンスに設定し、検出されたグループの駆動側電極部に制御信号を出力する。
【００９２】
すなわち、ステップＳ１０において、コントローラ２４０は、検出部により、電極ＤＡ１，ＤＡ２に導通しているか検出する。導通している場合には、ステップＳ１１において、グループＢに属する複数の駆動側電極部２３０（この場合、第２駆動側電極部２３２）をハイインピーダンスに設定する。
【００９３】
続いて、ステップＳ１２において、コントローラ２４０は、グループＡの駆動側電極部２３０によって、表示領域１１０を書き換える。図７に示す処理では、コントローラ２４０は、第１駆動側電極部２３１に情報を表示するための制御信号を出力する。なお、書き換え処理に先立ってリセット処理（消去処理）が行われる。
【００９４】
一方、ステップＳ１０において、電極ＤＡ１，ＤＡ２に導通していないことが検出された場合には、ステップＳ１３において、さらに、電極ＤＢ１，ＤＢ２に導通しているか検出する。導通している場合には、ステップＳ１４において、グループＡに属する複数の駆動側電極部２３０（この場合、第１駆動側電極部２３１）をハイインピーダンスに設定する。
【００９５】
続いて、ステップＳ１５において、コントローラ２４０は、グループＢの駆動側電極部２３０によって、表示領域１１０を書き換える。
【００９６】
（２−３）作用・効果
以上説明したように、情報処理装置２は、検出部によって、表示器側電極部１３０がどのグループに属する駆動側電極部２３０（第１駆動側電極部２３１又は第２駆動側電極部２３２）に接続されているか検出することができるため、駆動装置２００は、検出された一方の駆動側電極部２３０に対して制御信号を１回出力することで、表示領域１１０に表示される情報を確実に書き換えることができる。
【００９７】
（３）第３実施形態
図８は、第３実施形態に係る情報表示システム３の構成を示す図である。図８に示すように、駆動装置２００は、複数の着脱機構２８０ａ乃至２８０ｂを有している。また、図８に示すように、情報表示器１００Ａでは、表示器側電極部１３０が、２つの端部（２辺）に、カラム電極部１３０ａとロウ電極部１３０ｂとを有する。
【００９８】
本実施形態では、着脱機構２８０ａの駆動側電極部２３０ａが、カラム電極部１３０ａに接続され、着脱機構２８０ｂの駆動側電極部２３０ｂが、ロウ電極部１３０ｂに接続される。
【００９９】
また、着脱機構２８０ａでは、着脱機構２８０ａの幅方向（図８に示すＷＸ方向）に沿って配置される複数の駆動側電極部２３０ａの両端の幅Ｗ１ａは、情報表示器１００Ａの一方の端部に沿った方向（図８に示すＷＸ方向）に配置される複数のカラム電極部１３０ａの両端の幅Ｗ２ａよりも狭い。また、着脱機構２８０ｂにおいても、着脱機構２８０ｂの幅方向（図８に示すＷＹ方向）に沿って配置される複数の駆動側電極部２３０ｂの両端の幅Ｗ１ｂは、情報表示器１００Ａの他方の端部に沿った方向（図８に示すＷＹ方向）配置される複数のロウ電極部１３０ｂの両端の幅Ｗ２ｂよりも狭い。
【０１００】
なお、電極の幅Ｗ１ａは、表示領域１１０内の特定領域１１１に配置される画素電極に連結された複数のカラム電極部１３０ａの幅に対応し、電極の幅Ｗ１ｂは、特定領域１１１に配置される画素電極に連結された複数のロウ電極部１３０ｂの幅に対応する。
【０１０１】
このような情報表示システム３によれば、情報表示器１００Ａの表示領域１１０内の特定領域１１１に限定して、所定の情報を表示させることができる。すなわち、特定領域１１１のみに所定の情報を書き込むことができる。
【０１０２】
このような情報表示システム３は、例えば、情報表示器１００Ａをチケットとして利用する際に有用である。具体的には、情報表示器１００Ａの表示領域１１０にチケットとしての情報を表示させるとともに、駆動回路部２００から、例えば、「検印」などの所定の情報に対応する制御信号を、複数の駆動回路側接続部２８０ａ乃至２８０ｂを介して、情報表示器１００Ａに出力する。情報表示システム３では、「検印」などの所定の情報を特定領域１１１のみに書き込むことができる。すなわち、予めチケット情報が表示された表示領域１１０内の特定領域１１１を自由に選択して「検印」などの所定の情報を追記して表示できる。この自由に選択された特定領域１１１は、情報表示器を着脱機構から一旦取り外してしまうと、全く同じ特定領域を選択して着脱機構に取り付けない限り、言い換えれば、厳密にアライメントを取った接続を行わない限り、追記表示された「検印」などの情報を完全に消去したり、元の痕跡を残さないで書き換えたりすることができないので、偽造や改竄などの不正を防止でき、セキュリティの面での利用も可能な情報表示システムを提供できる。
【０１０３】
このような情報表示システム３では、着脱機構２８０ａ、着脱機構２８０ｂを前述したクリップ方式に構成すると駆動装置側と情報表示器１００Ａ側との着脱が簡単にできるので好ましい。
【０１０４】
（４）変形例
（４−１）変形例１
図９は、変形例に係る情報表示システム４の駆動装置６００において、着脱機構６８０に配置される駆動側電極部６３０（電極パッド６３０Ａ）を拡大した拡大図である。変形例として示す情報表示システム４では、表示器側電極部５３０（電極パッド５３０Ａ）のピッチ（間隔）Ｐｄｐの１／ｎと、駆動側電極部６３０のピッチ（間隔）Ｐｐとが異なっている。すなわち、Ｐｄｐ／ｎ≠Ｐｐである。
【０１０５】
図９では、駆動側電極部６３０は、矩形状の電極パッド６３０Ａを有し、電極パッド６３０Ａの幅Ｗｐと、隣接する電極パッド６３０Ａ間のギャップＷｇとは、Ｗｐ＞Ｗｇの関係が成り立つ。更に、図９に示す構成では、表示器側電極部５３０のピッチ（間隔）Ｐｄｐは、Ｐｄｐ／ｎ＜Ｐｐ  （ｎ＝２）の関係にあるので、Ｐｄｐ＜２Ｐｐである。また、表示器側電極部５３０がピッチＰｄｐでｍ本配置された幅ＷＤｐ、同じグループに属する駆動側電極部６３０がｍ本ずつ配置されたとき、同じグループに属する駆動側電極部の最も離れた位置にある駆動側電極部間の距離ＷＤｒとするとき、ＷＤｐ−ＷＤｒ＜Ｐｐ＋ｗｇである。
【０１０６】
この場合、表示器側電極部５３０と駆動側電極部６３０との接続状態は、図４（ａ）〜（ｃ）の全てが繰り返し含まれるパターンになるため、情報表示器１００に所定の情報を表示することができる。
【０１０７】
（４−２）変形例２
図１０は、変形例に係る着脱機構７８０の構成を示す斜視図である。図１０に示すように、着脱機構７８０は、表示器側接続部１４０を挿抜方向（図１０に示すＸ方向）に沿って抜き差しする挿抜方式によって、表示器側電極部１３０と駆動側電極部２３０とを着脱する。
【０１０８】
本実施形態では、表示器側接続部１４０の端部１４５が、載置部７８４の端部７８５に突き当てられることで、挿抜方向（図１０の例では、Ｘ方向）において、表示器側電極部１３０の位置と、駆動側電極部２３０の位置とを容易に合わせることができる。
【０１０９】
駆動側電極部７３０は、スプリング式の電極によって構成されていることが好ましい。この場合、表示器側電極部１３０を着脱機構７８０に差し込んだ際、電極部同士を押さえ付けることができるので、表示器側電極部１３０と駆動側電極部７３０とを確実に接続させることができる。
【０１１０】
本実施形態では、着脱機構７８０に情報表示器１００の表示器側接続部１４０を差し込むことで、情報表示器１００の複数の表示器側電極部１３０と駆動装置２００の複数の駆動側電極部２３０とが接する状態となる。着脱機構７８０は、この状態において、駆動側電極部７３０と表示器側電極部１３０とを電気的に接続する。
【０１１１】
着脱機構７８０から情報表示器１００の表示器側接続部１４０を引き抜くことで、情報表示器１００の複数の表示器側電極部１３０と駆動装置２００の複数の駆動側電極部２３０とが離間する状態となる。着脱機構７８０は、この状態において、駆動側電極部７３０と表示器側電極部１３０とを電気的に切離する。
【０１１２】
なお、情報表示器１００の表示器側接続部１４０の一部が、着脱機構７８０の載置部７８４に差し込まれていても、表示器側電極部１３０と駆動側電極部２３０とが接触していなければ、離間する状態となる。すなわち、「情報表示器１００と駆動装置２００とが離間する状態」となることに留意すべきである。
【０１１３】
着脱機構７８０が挿抜方式を構成する場合には、表示器側電極部１３０と駆動側電極部７３０とは、曲げや擦過に対する強度に優れている材料を電極部材料として用いることが好ましい。このような材料は、例えば、銅、アルミニウム、ニッケル、クロムなどの金属、貴金属又は合金である。
【０１１４】
（４−３）変形例３
図１１は、変形例に係る着脱機構９８０の構成を示す斜視図である。本実施形態に係る着脱機構９８０は、図１１に示すように、２枚の基板（基板２８２および基板２８１）で構成される。ここでは基板２８２を可動部２８２として構成し、可動部２８２が、複数の駆動側電極部２３０を配置した駆動回路側接続基板２８３を備える。駆動回路側接続基板２８３は、表面基板２８３ａと背面基板２８３ｂとを有する。表面基板２８３ａの一方の面には、複数の駆動側電極部２３０が配置され、表面基板２８３ａの他方の面には、背面基板２８３ｂが配置されている。
【０１１５】
この構成とは反対に着脱機構の２枚の基板のうち基板２８１を可動部２８１として構成し、可動部２８１が、複数の駆動側電極部２３０を配置した駆動回路側基板２８３を備えるように構成することもできる。
【０１１６】
図１２（ａ）には後者の構成を、図１２（ｂ）には前者の構成を、それぞれの断面図として示している。
【０１１７】
また、図１１に示す情報表示器１００の表示器側接続部１４０は、複数の表示器側電極部１３０を配置した表示器側接続基板１４１を備える。表示器側接続基板１４１は、表面基板１４１ａと背面基板１４１ｂとを有する。表面基板１４１ａの一方の面には、複数の表示器側電極部１３０が配置され、表面基板１４１ａの他方の面には、背面基板１４１ｂが配置される。
【０１１８】
着脱機構９８０を構成する２枚の基板（図１１の基板２８２および基板２８１）のいずれか一方が磁石を含んだ構成にし、他方が磁性体または磁石を含んだ構成にする。  図１２には、着脱機構９８０を構成する２枚の基板のうち、複数の駆動側電極部２３０が配置された方の基板である駆動回路側接続基板２８３の構成を、それぞれ（ａ）基板２８１を駆動回路側接続基板２８３とした例、（ｂ）基板２８２を駆動回路側接続基板２８３とした例として示している。  図１２（ａ）の例、図１２（ｂ）の例のいずれも、絶縁性基板（２８４ａ、２８３ａ）と、磁石または磁性体基板（２８４ｂ、２８３ｂ）との積層構造の基板として、駆動回路側接続基板２８３を構成している。また、着脱機構９８０を構成する２枚の基板がともに磁石を含んだ構成にしてもよく、この場合は、互いに対極する磁石であるようにする。
【０１１９】
着脱機構９８０を構成する２枚の基板自身を磁石または磁性体で構成し、その基板に複数の駆動側電極部２３０を配置する場合には、基板自身に導電性があるので、基板（磁石基板または磁性体基板）と駆動側電極部２３０との間に絶縁膜を形成して、基板（磁石基板または磁性体基板）とその上に形成される駆動側電極部２３０とが導通しない構造にすることが好ましい。
【０１２０】
このような構成によれば、着脱機構９８０を構成する２枚の基板同士を磁気吸着させて、その間に装着配置した表示器側接続基板１４１と駆動回路側接続基板２８３と接触させて、表示器側電極部１３０と駆動側電極部２３０とを容易に電気的に接続できるとともに、表示器側電極部１３０と駆動側電極部２３０との接触圧のばらつきを抑制して均一な接触圧で互いを電気的に接続することができる。
【０１２１】
更に、着脱機構２８０（図２参照），着脱機構９８０（図１１参照）のように、クリップ方式によって、ベース部２８１と可動部２８２との２枚の基板による挟み込み構造を有する着脱機構とすれば、ベース部２８１と可動部２８２との２枚の基板のうちの一方は磁石を含んで構成され、他方は、磁性体または磁石を含んで構成されることで、着脱機構を構成する２枚の基板同士を磁気吸着させて、その間に配置した表示器側接続基板１４１と駆動回路側接続基板２８３と接触させて、表示器側電極部１３０と駆動側電極部２３０とを容易に電気的に接続できるとともに、表示器側電極部１３０と駆動側電極部２３０との接触圧のばらつきをより抑制して均一な接触圧で互いを電気的に接続することができるので好ましい。
【０１２２】
例えば、可動部２８２（第１基板）の駆動回路側接続基板２８３が磁石を含んで構成され、ベース部２８１（第２基板）が、磁性体を含んで構成されるようにしてもよい。また、可動部２８２の駆動回路側接続基板２８３が磁性体からなり、ベース部２８１が、磁石からなるようにしてもよい。更には、可動部２８２の駆動回路側接続基板２８３と、ベース部２８１とが、対極する磁石からなるようにしてもよい。前述したように、基板自身を磁石にしたり、磁性体にしたりする場合は、その上に形成する電極部と基板とが導通しないように、基板と電極部との間に絶縁膜を形成することが好ましい。
【０１２３】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例が明らかとなる。例えば、本発明の実施形態は、次のように変更することができる。
【０１２４】
実施形態では、表示器側接続部１４０の端部１４５と、着脱機構２８０における載置部２８４の端部２８５とは、直線状に形成されていたが、図１３に示すように、表示器側接続部１４０の端部１４５ａと、載置部２８４の端部２８５ａとが、挿抜方向（図１３に示すＸ方向）に凹凸する形状に形成されていてもよい。図１３に示す山部と谷部とに直線部分を有するジグザグ形状や、山部と谷部とに直線部分を有さない鋭角的なジグザグ形状などが例示される。また、図１４に示すように、表示器側接続部１４０の端部１４５ｂと、載置部２８４の端部２８５ｂとが、曲線的な波型形状に形成されていてもよい。
【０１２５】
この場合、表示器側接続部１４０の端部１４５ａ乃至１４５ｂが、着脱機構２８０の載置部２８４の端部２８５ａ乃至２８５ｂに突き当てられることで、挿抜方向だけでなく、挿抜方向の直角方向（図１３乃至１４の例では、Ｙ方向）においても、表示器側電極部１３０の位置と、駆動側電極部２３０の位置とを容易に合わせることができる。図１３や図１４に示された構成においても、既に述べたような表示器側接続部１４０の両端をガイドする構造を着脱機構２８０の載置部２８４に形成しておけば、挿抜方向だけでなく、挿抜方向の直角方向（図１３乃至１４の例では、Ｙ方向）においても、表示器側電極部１３０の位置と、駆動側電極部２３０の位置とをより容易に合わせることができる。
【０１２６】
実施形態では、着脱機構２８０、７８０は、クリップ方式又は挿抜方式によって、「情報表示器１００と駆動装置２００が接する状態」と、「情報表示器１００と駆動装置２００とが離間する状態」とを実現していた。しかし、着脱機構２８０は、上述した状態を実現できれば、様々な構成が可能である。
【０１２７】
実施形態では、情報表示器１００（情報表示器１００Ａ，３００，５００も同様）は、気体中粒子移動方式ディスプレイパネルであると説明した。しかし、情報表示器１００は、例えば、電気泳動方式（液体中粒子移動方式）ディスプレイパネル、コレステリック液晶方式ディスプレイパネル、エレクトロクロミック方式ディスプレイパネルとすることができる。また、給電を断った状態で表示された情報を所定期間保持できる表示メモリー性、いわゆるバイステイブル性を有するＭＥＭＳ方式ディスプレイパネル、銀の電解による析出を用いる方式のディスプレイパネル、溶解反応を利用したディスプレイパネルとすることができる。情報表示器１００は、これら表示メモリー性を有するものが好ましいが、表示メモリー性の無い、従来の液晶ディスプレイ（ＬＣＤ）にも適用できる。
【０１２８】
実施形態において、情報表示システム１には、ドライバＩＣ２１０Ａ，２１０Ｂが設けられていると説明した。しかし、ドライバＩＣは、必ずしも必要でない。コントローラ２４０が情報表示器１００の制御信号を、駆動側電極部２３０を介して表示器側電極部１３０に直接出力する構成であってもよい。ドライバＩＣ２１０Ａ，２１０Ｂを使用すると、コントローラ２４０の負荷軽減、配線２２０の本数を減らすなどの利点がある。
【０１２９】
実施形態では、情報表示システム１は、記憶部２５０を備えると説明した。この他に、例えば、無線通信及び／又は有線通信を可能とする通信デバイスを備え、情報表示器１００の表示領域１１０に表示する情報に関するデータを、ネットワークを介して取得することもできる。
【０１３０】
実施形態では、駆動側電極部２３０には、グループＡに属する第１駆動側電極部２３１（電極Ａ１，Ａ２）と、グループＢに属する第２駆動側電極部２３２（電極Ｂ１，Ｂ２）とが含まれると説明した。しかし、２つのグループに限定されない。３つであってもよい。
【０１３１】
また、実施形態では、駆動側電極部がピッチ（間隔）Ｐｐで配置されており、表示器側電極部がピッチ（間隔）Ｐｄｐで配置されており、Ｐｄｐ＝２Ｐｐである場合について説明した。しかし、表示器側電極部のピッチ（間隔）は、駆動側電極部の間隔の整数倍であればよく、２倍に限定されない。すなわち、例えば、Ｐｄｐ＝３Ｐｐ、Ｐｄｐ＝４Ｐｐという関係になるような配置になっていてもよい。
【０１３２】
また、上述した実施形態及び変形例は組み合わせることが可能である。このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【０１３３】
１〜４…情報表示システム、Ａ１，Ａ２…電極、Ｂ１，Ｂ２…電極、１１，１２…電極、１００，１００Ａ，３００，５００…情報表示器、１１０…表示領域、１１１…特定領域、１２０…配線、１３０…表示器側電極部、１３０Ａ…電極パッド、１３０ａ…カラム電極部、１３０ｂ…ロウ電極部、１４０…表示器側接続部、１４５，１４５ａ，１４５ｂ…端部、２００…駆動装置、２１０Ａ，２１０Ｂ…ＩＣドライバ、２２０…配線、２３０，２３０ａ，２３０ｂ…駆動側電極部、２３０Ａ…電極パッド、２３１…第１駆動側電極部、２３２…第２駆動側電極部、２４０…コントローラ、２５０…記憶部、２６０…電源回路、２７０…検出回路、２８０，２８０ａ，２８０ｂ，９８０…着脱機構、２８１…ベース部、２８２…可動部、２８４…載置部、２８５，２８５ａ，２８５ｂ…端部、３２１…ショート配線、３３０…表示器側電極部、４００…駆動側接続部、４２０，４２１…配線、４３０…駆動側電極部、４３０Ａ…電極パッド、４３１…第１駆動側電極部、４３２…第２駆動側電極部、４８０…駆動側接続部、５３０…表示器側電極部、５３０Ａ…電極パッド、６００…駆動装置、６３０…駆動側電極部、６３０Ａ…電極パッド、６８０…駆動側接続部、７３０…駆動側電極部、７８０…駆動側接続部、７８４…載置部、７８５…端部
【図１】
2013088645.tif 000003
【図２】
2013088645.tif 000004
【図３】
2013088645.tif 000005
【図４】
2013088645.tif 000006
【図５】
2013088645.tif 000007
【図６】
2013088645.tif 000008
【図７】
2013088645.tif 000009
【図８】
2013088645.tif 000010
【図９】
2013088645.tif 000011
【図１０】
2013088645.tif 000012
【図１１】
2013088645.tif 000013
【図１２】
2013088645.tif 000014
【図１３】
2013088645.tif 000015
【図１４】
2013088645.tif 000016